(57)【要約】【課題】移動通信端末を使用して撮影した動画に対する高度な編集作業や印刷を、簡易かつ操作性に優れる編集手段を使用して実行することを可能とする。【解決手段】移動通信端末からの動画データを受信する手段と、動画データに対する編集入力を受け付ける手段と、編集入力に基づいて動画データに編集を加えた編集動画データを作成する手段とを備え、或いは、動画データを受信する手段と、記憶装置と、動画データを再生して表示する手段と、動画データから第一の操作の時点における静止画像を作成して記憶する手段と、編集入力を受け付けるとともに、編集画像を静止画像とともに表示する手段と、動画データに編集入力に基づく編集を加えた編集動画データを再生する手段と、編集動画データの再生中における第二の操作に応答して第一の操作の時点から第二の操作の時点までの編集動画データを記憶装置に記憶する手段とを設ける。【選択図】      図２
2004336095.tif 000002
【特許請求の範囲】
【請求項１】
移動通信端末から伝送される動画データを受信する受信手段と、
利用者による前記動画データに対する編集入力を受け付ける編集入力手段と、
前記編集入力に基づいて前記動画データに編集を加えた編集動画データを作成する編集動画データ作成手段とを備えることを特徴とする動画処理装置。
【請求項２】
移動通信端末から伝送される動画データを受信する受信手段と、
前記動画データを記憶する記憶装置と、
動画データを再生して表示する動画再生手段と、
動画データの再生中における利用者による第一の操作に応答して、前記動画データから前記第一の操作の時点における静止画像を作成し、当該静止画像を前記第一の操作の時点とともに記憶する第一の記憶手段と、
利用者による編集入力を受け付けるとともに、前記編集入力に基づく編集画像を前記静止画像とともに表示する編集入力手段と、
前記第一の操作の時点以降の動画データに前記編集入力に基づく編集を加えた編集動画データを作成し、これを再生する編集動画再生手段と、
前記編集動画データの再生中における利用者による第二の操作に応答して、前記第一の操作の時点から第二の操作の時点までの編集動画データを前記記憶装置に記憶する第二の記憶手段とを備えることを特徴とする動画データ処理装置。
【請求項３】
前記編集動画データを移動通信端末に伝送する手段を更に備えることを特徴とする請求項１または２に記載の動画データ処理装置。
【請求項４】
被写体を撮影するための撮影手段を更に備えることを特徴とする請求項１〜３のいずれか一項に記載の動画処理装置。
【請求項５】
動画データ又は編集動画データから静止画像を抽出し、抽出した静止画像を印刷する印刷手段を更に備えることを特徴とする請求項１〜４のいずれか一項に記載の動画処理装置。
【発明の詳細な説明】
【０００１】
【発明の属する技術分野】
本発明は、移動通信端末で撮影した動画に対して、フレーム処理やテロップ挿入、らくがきなどの編集を加えるための動画処理装置に関する。
【０００２】
【従来の技術】
携帯電話機やＰＤＡ（Ｐｅｒｓｏｎａｌ  Ｄａｔａ  Ａｓｓｉｓｔａｎｃｅ）などの移動通信端末は、その機能を年々高度化、多様化させる傾向にあり、静止画像の撮影や送受信機能に加えて、動画の撮影やその送受信が可能な機種が市場に登場している状況にある。
【０００３】
しかし、移動通信端末は、機能や使い勝手よりも小型、軽量化が優先されるために、撮影した静止画像や動画に対する編集機能を高度化し、或いは、編集の操作性を向上させることは困難であるという問題があった。
【０００４】
この点、撮影した静止画像や動画をパーソナルコンピュータなどに転送して編集を行うことは可能であるが、このためにはパーソナルコンピュータや周辺機器の準備、接続等が必要であり、これが多くの利用者層にとってはハードルとなり、利用者層の拡大を図ることができなかった。
【０００５】
このため、移動通信端末から伝送される静止画像データを受信する手段と、受信した静止画像データに対する編集入力を受け付ける手段を有し、更には、編集された静止画像データを移動通信端末に送信し、あるいは、印刷出力する手段を有する動画処理装置が提案されており、これにより、情報処理機器について十分な知識を有さない利用者層に対しても、移動通信端末を用いて任意の場所やシチュエーションで撮影した画像に高度な編集を加え、これを印刷出力する楽しみを提供することが可能となっている。
【０００６】
【特許文献】
特開２００２−３３５３６９号公報
【０００７】
【発明が解決しようとする課題】
しかしながら、移動通信端末で撮影された動画については、上記のような編集を可能とする装置は未だ提供されるに至っておらず、移動通信端末で撮影した動画に対して興趣性に富んだ高度な編集を容易に行うことを可能とする手段の実現が望まれていた。
【０００８】
【課題を解決するための手段】
本発明は、上記のような要請に鑑みてなされたものであり、移動通信端末から伝送される動画データを受信する受信手段と、利用者による前記動画データに対する編集入力を受け付ける編集入力手段と、前記編集入力に基づいて前記動画データに編集を加えた編集動画データを作成する編集動画データ作成手段とを備えることを特徴とする動画処理装置である。
【０００９】
本発明によれば、移動通信端末を使用して任意の場所で撮影した動画を動画処理装置に伝送し、動画処理装置上でテロップの挿入、ＢＧＭの合成、らくがきなどの編集を行うことが可能となる。
【００１０】
ここで、動画処理装置は移動性を備える必要がないため、より容易な操作で、より高度な編集を行うことができる高スペックの編集入力手段を備えることが可能である。
【００１１】
また、本発明は、移動通信端末から伝送される動画データを受信する受信手段と、前記動画データを記憶する記憶装置と、前記動画データを再生して表示する動画再生手段と、動画データの再生中における利用者による第一の操作に応答して、前記動画データから前記第一の操作の時点における静止画像を作成し、当該静止画像を前記第一の操作の時点とともに記憶する第一の記憶手段と、利用者による編集入力を受け付けるとともに、前記編集入力に基づく編集画像を前記静止画像とともに表示する編集入力手段と、前記第一の操作の時点以降の動画データに前記編集入力に基づく編集を加えた編集動画データを作成し、これを再生する編集動画再生手段と、前記編集動画データの再生中における利用者による第二の操作に応答して、前記第一の操作の時点から第二の操作の時点までの編集動画データを前記記憶装置に記憶する第二の記憶手段とを備えることを特徴とする動画データ処理装置である。
【００１２】
本発明は、動画処理装置に伝送された動画は記憶装置に記憶される一方、動画再生手段を使用して伝送された動画を再生し、利用者による第一の操作に応じて編集の受け付けを行い、編集後に編集動画再生手段を使用して、第一の時点以降の編集された動画を再生し、当該再生中の利用者による第二の操作に応じて第一の操作の時点から第二の操作の時点に至る編集済みの動画を記憶装置に記憶するものであり、これにより、動画データの任意の部分に編集を加える操作を容易に行うことが可能となる。
【００１３】
また、編集動画再生手段を使用して編集された動画の再生中に、利用者が編集を行う時点を選択する第三の操作を行い得るものとし、第一の操作の時点から第三の操作の時点に至る編集済みの動画を記憶装置に記憶するとともに、編集受け付けを行い、当該編集の後に編集動画再生手段を使用して編集された動画を再生確認しつつ、上記第二の操作、或いは、上記第三の操作を更に選択的に行い得るよう構成することで、動画データの任意の部分ごとに異なる編集を加える操作を容易に行うことが可能となる。
【００１４】
更に、本発明では、第一の操作を行った時点の静止画像が表示された状態で編集入力の操作を行うことが可能であるため、編集操作の一層の容易化を達成することができる。
【００１５】
また、本発明では、編集された動画を移動通信端末に伝送可能とすることができ、これにより、利用者は、自身が編集した動画を移動通信端末上で鑑賞し、あるいは、メールに添付して知人、友人に送信すること等が可能となり、より興趣性に富んだ編集動画を用いたコミュニケーションが実現される。
【００１６】
なお、本発明における移動通信端末と動画処理装置の間の動画データの伝送は、電子メールに動画データを添付して送信することにより行うことが可能であるほか、ブルートゥースやＩｒＤＡなどの近距離無線通信や移動通信端末の外部接続端子を用いて行うことも可能である。
【００１７】
この場合、動画処理装置は、受信した動画データのフォーマット形式や移動通信端末の機種を特定する機能を備えるものとすることが可能であり、これにより、動画処理装置における動画の処理や移動通信端末と動画処理装置の間の通信を適切に行うことが可能となる。
【００１８】
また、本発明の動画処理装置は、被写体を撮影するための撮影手段を更に備えることができ、これにより、移動通信端末で撮影した動画に、動画処理装置の撮影手段で撮影した静止画像、或いは、動画をスーパーインポーズさせるなどが可能となり、より興趣性の高い動画編集を行うことが可能となる。
【００１９】
更に、本発明の動画処理装置は、受信した動画データ、又は、編集された動画データから静止画像を抽出し、抽出した静止画像を印刷する印刷手段を更に備えることができ、これにより、移動通信端末から受信した動画、或いは、これに編集入力手段による編集が加えられた動画の任意のタイミングにおける画像を固定して印刷出力することが可能となる。
【００２０】
【発明の実施の形態】
以下、本発明の実施形態を、添付の図面を参照して説明する。
【００２１】
図１は、本発明の一実施形態に係る動画処理装置１０を利用する動画処理システム１の一例を示す。
【００２２】
動画処理システム１は、動画処理装置１０と携帯電話機４０などの移動携帯端末と移動体通信網２とを備えて構成されており、動画処理装置１０は、移動体通信網２、近接無線通信、或いは、外部接続端子を介して携帯電話機４０などと通信可能とされている。
【００２３】
図２は、動画処理装置１０の構成を示す斜視説明図であり、図３は、そのシステム構成図である。
【００２４】
図示されるように、動画処理装置１０は、筐体１１の正面に、動画処理装置１０の動作選択や編集入力等を行うための、タッチパネル式モニタ１２とタッチペン１３より構成される入力装置が設けられており、タッチペン１３の側方には、携帯電話機４０の機種により相違する外部接続端子４７に対応するため、２種類の異なる仕様の接続コネクタ１４が設けられている。
【００２５】
ここで、タッチパネル式モニタ１２は透明なタッチパネルをＣＲＴモニタ画面上に積層したものであり、モニタ画面上に表示された画像に応じてタッチペン１３の先端をタッチパネル表面に接触させることにより、種々の操作、入力が可能とされている。
【００２６】
また、動画処理装置１０には、ブルートゥースやＩｒＤＡによる通信を受信するための送受信窓１５や、後述する移動体通信受信のための移動体通信ポート３２が設けられている。
【００２７】
更に、筐体１１の下部には、利用料金を受け入れるためのコイン投入口１６、及び、印刷された写真シールを排出する写真シール排出口１７が設けられ、筐体１１の側面にはＢＧＭやインストラクションなどを出力するスピーカ１８が設けられている。
【００２８】
また、筐体１１の内部には、図３に示される制御手段２１が設置されている。
【００２９】
制御手段２１は、バス２２により相互に接続されるＣＰＵ２３、ＣＰＵ２３を制御する基本プログラムを格納するＲＯＭ２４、ＣＰＵ２３の作業用データや、一時データを記録するＲＡＭ２５、及び、インターフェース（Ｉ／Ｆ）２６を備えている。
【００３０】
インターフェース２６にはハードディスク２７、ＣＤ−ＲＯＭドライブ２８に加え、タッチパネル式モニタ１２とタッチペン１３よりなる入力装置、コイン処理部２９、プリンタ３０などの外部機器が接続されており、ＣＰＵ２３とこれら各機器との間における信号の授受が可能とされている。
【００３１】
インターフェース２６には更に、送受信窓１５に接続された近接無線通信ポート３１、移動体通信ポート３２、接続コネクタ１４が接続されており、制御手段２１には、動画データのフォーマット形式や受信方式に応じて、動画データの送受信やＲＡＭ２５等への記録、或いは、動画データの編集を可能とする機能が付与されている。
【００３２】
図４は、動画撮影機能を備えた携帯電話機４０の一態様を示す斜視説明図である。
【００３３】
図示されるように携帯電話機４０は、情報表示のための液晶モニタ４１、受話送話口４２、４３、送受信アンテナ４４、ビデオカメラレンズ４６とともに、近接無線通信を行う通信ポート４５、外部接続端子４７を備えており、更に、操作面上には、液晶画面上のポインタのスクロールや、各種入力操作のための操作ボタン４８が設けられている。
【００３４】
また、携帯電話機４０には、ＣＰＵ及びメモリなどの情報処理手段が内蔵されており、ＣＣＤカメラにより撮影した動画データを保存する機能、移動体通信を通じた電子メール、近接無線通信により、或いは、外部接続端子４７を介して動画データを送受信するための機能が付与されている。
【００３５】
次に図５を用い、本実施形態に係る動画処理装置１０の動作について説明する。
【００３６】
制御手段２１がコイン処理部２９からの所定額のコイン投入を示す信号を検出すると、タッチパネル式モニタ１２の表示がデモンストレーションから図６に示す伝送方法選択画面５０に切り替えられ、動画データの伝送方法の選択の受付が実行される（ステップＳ１）。
【００３７】
伝送方法選択画面５０においては、動画データを添付した電子メールを送信することによる伝送５１、近距離無線通信による伝送５２、外部接続端子からの伝送５３の３種類の選択肢が表示されており、いずれかの選択肢が選択されると、携帯電話機４０からの動画データの受信が行われる（ステップＳ２）。
【００３８】
即ち、利用者がタッチペン１３を操作することにより電子メールによる伝送５１を選択した場合、タッチパネル式モニタ１２は、動画処理装置１０に付与された電子メールアドレスと当該アドレスに動画メールを送信することを促すメッセージを表示した画面に切り替えられ、制御手段２１は、移動体通信ポート３２を待ち受け状態に設定する。続いて利用者が、携帯電話機４０に対して所定の操作を行うことで、携帯電話機４０で撮影された動画データが電子メールに添付されて動画処理装置１０の移動体通信ポート３２に送信される。
【００３９】
また、利用者が近距離無線通信による伝送５２を選択した場合には、タッチパネル式モニタ１２は、近距離無線通信により動画データを送信することを促すメッセージを表示した画面に切り替えられ、制御手段２１は、近接無線通信ポート３１を待ち受け状態に設定する。続いて利用者が、携帯電話機４０に対して所定の操作を行うことで、携帯電話機４０で撮影された動画データが動画処理装置１０の通信ポート３５に伝送される。
【００４０】
同様に、利用者が外部接続端子からの伝送５３を選択した場合には、タッチパネル式モニタ１２は、接続コネクタ１４の使用方法と接続完了ボタンを表示した画面に切り替わり、利用者が外部接続端子４７に接続コネクタ１４を挿入した後に、タッチペンによる接続完了ボタンの操作が行われるのを待って、制御手段２１は、外部接続端子４７からの動画データの読み込みを行う。
【００４１】
以上のいずれかの方法による動画データの伝送が完了すると、制御手段２１は、伝送された動画データをＲＡＭ２５に記録する（ステップＳ３）とともに、タッチパネル式モニタ１２の表示を図７に示す動画再生画面５４に切り替える（ステップＳ４）。
【００４２】
動画再生画面５４には、ＲＡＭ２５に記録された動画データを再生して表示する動画ウィンド５５とともに、再生ボタン５６、巻戻ボタン５７、早送ボタン５８、停止ボタン５９が表示されており、これらのボタンにタッチペン１３先端を接触させることにより、それぞれ、動画の再生を開始させ、巻戻し、早送りを行い、動画の進行を停止させてその時点の静止画像を表示させることが可能とされている。
【００４３】
また、６０はインジケータであり、動画再生の進行に伴ってインジケータ６０の左端から右端に向けてポインタが移動することで動画の再生位置が表示されている。
【００４４】
また、動画再生画面５４の右側には、フレームボタン６１、ＢＧＭボタン６２、テロップボタン６３、らくがきボタン６４からなる編集メニュー６５、及び、印刷ボタン６６が表示されており、タッチペン１３の操作によりいずれかの編集メニュー６５が選択されると、動画の再生がその時点で停止し、タッチパネル式モニタ１２の表示は、図８〜１１に示す編集入力画面６９等に切り替えられ、それぞれの編集入力の受け付けが行われる（ステップＳ５）。
【００４５】
図８〜１１に示されるように、各編集入力画面には動画再生画面５４と同様の編集メニュー６５が表示されており、これらの編集入力画面において編集メニュー６５のいずれかを操作することによっても、タッチパネル式モニタ１２の表示をそれぞれの編集入力画面６９等に切り替えることが可能とされている。ただし、図８〜１１に示されるように、各編集入力画面６９等の編集メニュー６５においては、選択状態にある編集メニューが反転表示されており、これによって現在の編集入力画面の種類が告知されるとともに、反転表示されている編集メニューはタッチペン１３の操作に反応しないようされている。
【００４６】
なお、図７〜１１の動画再生画面５４又は各編集入力画面６９等において、右下部の印刷ボタン６７が操作された場合、その時点における動画ウィンド５５又は後述のイメージウィンド７０等に表示される編集が加えられた静止画像の写真プリントが印刷されて、写真シール排出口１７から排出されるよう構成されており、図８〜１１における各編集入力画面６９等において、右下部の編集確認ボタン６７が操作された場合、処理は後述の編集確認ステップ（ステップＳ６）に移行するよう構成されている。
【００４７】
動画再生画面５４、又は、編集入力画面７５、８０、８６、９０において、フレームボタン６１が操作された場合、タッチパネル式モニタ１２にフレーム選択画面６９が表示されて、フレーム選択の受け付けが行われる（ステップ５−１）。
【００４８】
図８は、図７に示す状態の動画再生画面５４でフレームボタン６１が操作された場合に表示されるフレーム選択画面６９であり、画面には編集メニュー６５とともに、フレーム加工された動画イメージを示すイメージウィンド７０、及び、フレームサンプル７１〜７４が示されており、フレームサンプル７１〜７４のいずれかをタッチペン１３で操作することにより、フレームの選択を行うことが可能とされている。
【００４９】
図示の例では、フレームサンプル７３が選択された状態を示しており、選択状態にあるフレームサンプル７３が太枠で囲まれて選択状態であることが示されるとともに、イメージウィンド７０には、フレームボタン６１が操作された時点の静止画像が選択されたフレームに挿入されて表示されている。
【００５０】
動画再生画面５４、又は、編集入力画面６９、８０、８６、９０において、ＢＧＭボタン６２が操作されると、タッチパネル式モニタ１２にＢＧＭ選択画面７５が表示されて、ＢＧＭ選択の受け付けが行われる（ステップ５−２）。
【００５１】
図９は、図８に例示されるフレーム選択画面６９からＢＧＭボタン６２が操作された場合に表示されるＢＧＭ選択画面７５であり、画面左側には、図８と同様のイメージウィンド７６と、複数のＢＧＭのタイトル７７が列記されている。
【００５２】
ＢＧＭ選択画面７５において、いずれかのタイトル７７が選択されると、選択されたＢＧＭがスピーカ１８から再生されるよう構成されており、一旦選択した後も、他のタイトル７７を選択することで再生されるＢＧＭを変更することが可能とされている。
【００５３】
なお、タイトル７７の上下にはスクロールボタン７８が配置され、これをタッチペン１３で操作することで、現在表示されているタイトル以外のタイトルをスクロールして表示させることが可能である。
【００５４】
動画再生画面５４、又は、編集入力画面６９、７５、９０において、テロップボタン６３が操作されると、タッチパネル式モニタ１２にテロップ位置指定画面８０が表示されて、テロップ位置指定の受け付けと、これに引き続いて、テロップ入力の受け付けが行われる（ステップ５−３）。
【００５５】
図１０（ａ）は、図９に例示されるＢＧＭ選択画面７５からテロップボタン６３が操作された場合に表示されるテロップ位置指定画面８０であり、画面左側には、テロップを挿入する位置の指定を求めるメッセージ８１とともに、複数のテロップ位置サンプル８２〜８５が表示されている。ここで、タッチペン１３によりテロップ位置サンプル８２〜８５の選択が行われると、タッチパネル式モニタ１２の表示が、図１０（ｂ）のテロップ入力画面８６に切り替えられる。
【００５６】
図１０（ｂ）では、図８、９と同様のイメージウィンド８７が表示されるとともに、その下部に５０音の指定や仮名漢字変換機能が割り当てられたキーボタン８８が配列されたキーボードイメージが表示されており、タッチペン１３によるキーボタン８８の操作により文字入力が可能とされている。
【００５７】
キーボタン８８の操作により入力された文字は、図示されるように、イメージウィンド８７において、テロップ位置指定画面８０で指定した位置にテロップ８９として表示される。
【００５８】
動画再生画面５４、又は、編集入力画面６９、７５、８０、８６において、らくがきボタン６４が操作されると、タッチパネル式モニタ１２にらくがき入力画面９０が表示されて、らくがき入力の受け付けが行われる（ステップ５−４）。
【００５９】
図１１は、図１０（ｂ）に示されるテロップ入力画面８６かららくがきボタン６４が操作された場合に表示されるらくがき入力画面９０であり、画面左側に、図１０（ｂ）と同様のイメージウィンド９１が表示されるとともに、その下部に種々のらくがきオプション９２〜９６が表示されている。
【００６０】
らくがきオプションとしては、例えば、タッチペンで触れた部分へのラインの追加、編集の取り消し、ライン色の指定、ライン幅の指定、予め準備されたマークの追加などを準備することができ、それぞれ、線引きボタン９２、消しゴムボタン９３、色指定ボタン９４、線種指定ボタン９５、スタンプボタン９６をタッチペン１３で操作した後に、イメージウィンド９１上でタッチペン１３を操作することにより所望のらくがきを行うことができ、図示される例では、イメージウィンド９１に表示される静止画像上に様々ならくがき９７〜９９が施された状態が示されている。
【００６１】
なお、ステップ５−３、５−４の編集入力の受け付けが行われている間、スピーカ１８からは、ステップ５−２で選択されたＢＧＭが継続して出力されるものとすることができる。
【００６２】
いずれかの編集入力画面において編集確認ボタン６７が操作された場合、タッチパネル式モニタ１２の表示は、編集確認画面１００に切り替えられ、編集確認のステップ（ステップＳ６）が実行される。
【００６３】
編集確認画面１００の左側には、編集確認ウィンド１０１が表示され、ステップＳ５における編集が加えられた動画が再生されるよう構成されている他、再生ボタン５６、巻戻ボタン５７、早送ボタン５８、停止ボタン５９、編集メニュー６５、及び、印刷ボタン６６など、動画再生画面５４と同様の機能が付与された各ボタンが表示されている。
【００６４】
図１２は、図１１に示されるらくがき画面から編集確認ボタン６７が操作された場合に表示される編集確認画面１００であり、編集確認ウィンド１０１において動画データが再生されるとともに、再生される動画に重ね合わせて、ステップ５−１、５−３、５−４により加えられた編集画像が表示されている。また、この間、スピーカ１８からは、ステップ５−２で選択されたＢＧＭが出力される。
【００６５】
編集確認画面１００では、巻戻ボタン５７、早送ボタン５８などを使用して動画データの任意の位置を再生することが可能である。
【００６６】
更に、再生中における所望の位置において再度編集メニュー６５を操作することで動画再生を停止させ、再度ステップ５−１〜５−４の操作に戻ることも可能であり、これにより当初に行った編集と異なる編集を行うことが可能とされている。
【００６７】
ここで、編集確認画面１００において編集メニュー６５、又は、終了ボタン６８が操作された場合、ＲＡＭ２５に記録された動画データのうち、ステップＳ４において動画の停止が行われた時点からステップＳ６において編集メニュー６５又は終了ボタン６８が操作された時点までの動画データについては、ステップ５−１〜５−４における編集が加えられた動画データへの書き換えが行われるものとすることができ、更には、編集確認画面１００においては、Ｓ４において動画の停止が行われた時点以降の動画のみを再生可能とし、或いは、当該停止の時点以降にのみ編集メニュー６５又は終了ボタン６８の操作が可能なものとすることができる。
【００６８】
これにより、編集ステップＳ５と確認ステップＳ６とを繰り返て、動画データの任意の部分毎に異なる編集を加えた編集動画データを作成することが可能となる。
【００６９】
また、ステップＳ６の編集確認画面１００において終了ボタン６８が操作された場合には、上記処理が行われた後に、タッチパネル式モニタ１２の表示が伝送方法選択画面１０２に切り替えられ、伝送方法の選択の受け付けが行われる（ステップＳ７）。
【００７０】
図１３は、ステップＳ９においてタッチパネル式モニタ１２に表示される伝送方法選択画面１０２であり、伝送方法の選択肢として、メールによる伝送１０３、近接無線通信による伝送１０４、外部接続端子による伝送１０５の３つが表示されている。
【００７１】
伝送方法選択画面１０２においていずれかの選択肢が選択されると、動画データの携帯電話機４０への伝送が行われる（ステップＳ８）。
【００７２】
ここで、メールによる伝送１０３の選択肢が選択された場合には、伝送先の電子メールアドレスの指定を受け付ける画面がタッチパネル式モニタ１２に表示され、指定されたアドレスに動画データを伝送するものとすることができ、近接無線通信による伝送１０４、外部接続端子による伝送１０５が選択された場合には、タッチパネル式モニタ１２にそれぞれ、携帯電話機４０において近接無線通信の受信の操作を行うことを促し、外部接続端子４７に接続コネクタ１４を挿入することを促すメッセージを表示した後に、動画データの伝送を行うものとすることができる。
【００７３】
以上により、利用者は、動画処理装置１０を使用して編集を加えた動画データを、自身の携帯電話機４０で再生して楽しむことが可能となる他、編集された動画データを家族、知人、友人などの携帯電話機４０やパソコンなどの他の通信端末に送信することが可能となる。
【００７４】
図１４は、本発明の他の実施形態に係る動画処理装置１１０の構成を示す斜視説明図であり、図１５、図１６は、それぞれそのシステム構成図、及び、動作説明図である。
【００７５】
図１４、１５において図２、３と共通する要素にはそれぞれ同一の符号が付されており、以下の動画処理装置１１０の説明においては、動画処理装置１０と共通する部分の説明は省略されている。
【００７６】
図１４、１５に示されるように、動画処理装置１１０は、動画処理装置１０が備える各要素に加え、インターフェイス２６を介して制御手段２１に接続されるＣＣＤカメラ１１１と液晶ディスプレイ１１２を備えており、筐体１１の正面に位置する利用者を撮影し、撮影された画像を確認することが可能とされている。
【００７７】
以下、動画処理装置１１０の動作を説明する。
【００７８】
図１６に示すように、ステップＳ１０において、制御手段２１によるコイン処理部２９からの所定額のコイン投入信号の検出を受けて、ＣＣＤカメラ１１１による所定枚数の写真撮影と、撮影された画像のＲＡＭ２５への記録が行われる。
【００７９】
続くステップＳ１１においては、動画処理装置１０におけるステップＳ１と同様に、タッチパネル式モニタ１２が図６に示す伝送方法選択画面５０に切り替えられ、動画データの伝送方法の選択の受付が実行される。
【００８０】
以下、動画処理装置１０におけるステップＳ２〜Ｓ８と実質的に同様の処理（ステップＳ１２〜Ｓ１８）が実行される。
【００８１】
なお、ステップＳ１５においても、ステップＳ５におけるステップ５−１〜５−４と同様に、フレーム選択（ステップ１５−１）、ＢＧＭ選択（ステップ１５−２）、テロップ入力（ステップ１５−３）、らくがき入力（ステップ１５−４）の各ステップが実行されるが、例えば、ステップ１５−４において表示されるらくがき入力画面９０において、スタンプボタン９６の一部をステップＳ１０において撮影した画像のサムネイル表示に置き換え、所望のサムネイル表示をタッチペン１３で操作した後に、イメージウィンド９１上でタッチペン１３を操作することにより、動画上にステップＳ１０で撮影した画像をスーパーインポーズさせる編集を行うことが可能となり、これにより、より興趣性の高い編集を行う楽しみを利用者に提供することが可能となる。
【００８２】
以上の通り、本実施形態に係る動画処理装置１０、１１０によれば、動画撮影機能を搭載した移動通信端末である携帯電話機４０を使用して任意の場所やシチュエーションにおいて撮影した動画に対してフレーム挿入やらくがきなどの編集を容易に行うことが可能となる。
【００８３】
この場合、動画処理装置１０は、移動通信端末に課される小型軽量化などの制約を受けないため、より豊富な編集機能やより操作性の高いインターフェースを搭載することが可能であり、利用者により高い満足感を与える動画編集を行い得る動画処理システムの構築が可能となる。
【００８４】
なお、上記の実施形態はあくまで例として示したものであり、特許請求の範囲に記載された発明の範囲で種々の改変を行うことが可能である。
【００８５】
例えば、携帯電話機４０に代えて、或いは、これに加えてＰＤＡなど他の端末を移動通信端末として使用して動画処理システム１を構築することが可能であり、また、動画処理装置と移動通信端末間の画像データの送受信は、上記した以外の通信方式により行うものとすることが可能である。
【００８６】
また、上記した実施の形態では、動画に対する編集として、フレーム、ＢＧＭ、テロップの挿入、らくがきを行いうる動画処理装置１０、１１０について説明したが、他の種類の編集を行いうるものとすることが可能であり、例えば、筐体１１にマイクロフォンや録音機器からの音声データの読み取り装置を設けて利用者の音声や音響のデータのピックアップを可能とし、ピックアップされた音声、音響データを使用してアフレコ編集を行い得るよう構成することも可能である。
【００８７】
また、上記した実施の形態では、タッチパネル式モニタ１２上に動画から抽出した静止画像を表示させ、これに編集画像を重ね合わせて表示させつつ編集入力の受け付けを行う場合について説明したが、タッチパネル式モニタ１２上において動画を再生させ、これに編集画像を重ね合わせて表示させつつ編集入力の受け付けを行うことも可能であり、あるいは、静止画像の表示や動画の再生と編集画像の表示とを別々のウィンドにおいて行いつつ編集入力の受け付けを行うことも可能である。
【００８８】
また、上記した実施の形態では、動画データにおいて受け付けた編集を反映させる部分を特定する方法として、その始点は動画の再生中に編集メニューが操作された時点とし、その終点は編集動画の再生中に編集終了ボタンが操作された時点とする場合について説明したが、予め編集入力の受付を行い、その後、その編集を反映させる部分の始点及び終点の指定を受け付けることとすることも可能であり、或いは、予め編集を反映させる部分の始点及び終点の指定を受け付け、その後、編集入力の受付を行うものとしても構わない。或いは、受信した動画データのすべての部分に受け付けた編集入力の内容を反映させるものとすることも可能であり、この場合は、編集を反映させる部分を特定するための構成は不要となる。
【００８９】
また、上記した実施の形態では、専ら動画についての送受信及び編集入力の受付を行う動画編集装置を例として説明したが、動画に加えて静止画像の送受信及び編集入力の受付を行う機能を付加し、動画あるいは静止画像を選択的に受信し、受信した動画あるいは静止画像に対して編集を加えて送信するものとして構成することも可能である。
【００９０】
【発明の効果】
以上の説明の通り、本発明によれば、任意の場所やシチュエーションにおいて移動通信端末を使用して撮影した動画に対する高度な編集作業や印刷を、簡易かつ操作性に優れる編集手段を使用して実行することが可能となる。
【図面の簡単な説明】
【図１】本発明の一実施形態に係る動画処理装置及び動画処理システムの概略図である。
【図２】本発明の一実施形態に係る動画処理装置の外観斜視図である。
【図３】本発明の一実施形態に係る動画処理装置のシステム構成図である。
【図４】本発明の一実施形態において使用される携帯電話機の外観構成を示す説明図である。
【図５】本発明の一実施形態に係る動画処理装置の動作を示すフローチャートである。
【図６】本発明の一実施形態に係る動画処理装置において表示される伝送方法選択画面である。
【図７】本発明の一実施形態に係る動画処理装置において表示される動画再生画面である。
【図８】本発明の一実施形態に係る動画処理装置において表示されるフレーム選択画面である。
【図９】本発明の一実施形態に係る動画処理装置において表示されるＢＧＭ選択画面である。
【図１０】（ａ）は、本発明の一実施形態に係る動画処理装置において表示されるテロップ位置指定画面であり、（ｂ）は、本発明の一実施形態に係る動画処理装置において表示されるテロップ入力画面である。
【図１１】本発明の一実施形態に係る動画処理装置において表示されるらくがき画面である。
【図１２】本発明の一実施形態に係る動画処理装置において表示される編集確認画面である。
【図１３】本発明の一実施形態に係る動画処理装置において表示される動画再生画面である。
【図１４】本発明の他の実施形態に係る動画処理装置の外観斜視図である。
【図１５】本発明の他の実施形態に係る動画処理装置のシステム構成図である。
【図１６】本発明の他の実施形態に係る動画処理装置の動作を示すフローチャートである。
【符号の説明】
１    動画処理システム
２    移動体通信網
１０  動画処理装置
１１  筐体
１２  タッチパネル式モニタ
１３  タッチペン
１４  接続コネクタ
１５  送受信窓
１６  コイン投入口
１７  写真シール排出口
１８  スピーカ
２１  制御手段
２２  バス
２６  インターフェース
２７  ハードディスク
２９  コイン処理部
３０  プリンタ
３１  近接無線通信ポート
３２  移動体通信ポート
３５  通信ポート
４０  携帯電話機
４１  液晶モニタ
４２  受話口
４３  送話口
４４  送受信アンテナ
４５  通信ポート
４６  ビデオカメラレンズ
４７  外部接続端子
４８  操作ボタン
５０  伝送方法選択画面
５１、５２、５３  伝送方法選択ボタン
５４  動画再生画面
５５  動画ウィンド
５６  再生ボタン
５７  巻戻ボタン
５８  早送ボタン
５９  停止ボタン
６０  インジケータ
６１  フレームボタン
６２  ＢＧＭボタン
６３  テロップボタン
６４  らくがきボタン
６５  編集メニュー
６６  印刷ボタン
６７  編集確認ボタン
６８  終了ボタン
６９  フレーム選択画面
７０  イメージウィンド
７１、７２、７３  フレームサンプル
７５  ＢＧＭ選択画面
７６  イメージウィンド
７７  タイトル
７８  スクロールボタン
８０  テロップ位置指定画面
８１  メッセージ
８２、８３、８４テロップ位置サンプル
８６  テロップ入力画面
８７  イメージウィンド
８８  キーボタン
８９  テロップ
９０  らくがき入力画面
９１  イメージウィンド
９２  線引きボタン
９３  消しゴムボタン
９４  色指定ボタン
９５  線種指定ボタン
９６  スタンプボタン
９７、９８、９９  らくがき
１００  編集確認画面
１０１  編集確認ウィンド
１０２  伝送方法選択画面
１０３、１０４、１０５  伝送方法選択ボタン
１１０  動画処理装置
１１１  ＣＣＤカメラ
１１２  液晶ディスプレイ
【図１】
2004336095.tif 000003
【図２】
2004336095.tif 000004
【図３】
2004336095.tif 000005
【図４】
2004336095.tif 000006
【図５】
2004336095.tif 000007
【図６】
2004336095.tif 000008
【図７】
2004336095.tif 000009
【図８】
2004336095.tif 000010
【図９】
2004336095.tif 000011
【図１０】
2004336095.tif 000012
【図１１】
2004336095.tif 000013
【図１２】
2004336095.tif 000014
【図１３】
2004336095.tif 000015
【図１４】
2004336095.tif 000016
【図１５】
2004336095.tif 000017
【図１６】
2004336095.tif 000018